(57)【特許請求の範囲】
【請求項１】
上下に配置される２枚のプレキャストコンクリート壁の内の下側プレキャストコンクリート壁の上端面から突出する下側鉄筋と、上側プレキャストコンクリート壁の下端面から突出する上側鉄筋とを介して、該下側プレキャストコンクリート壁と該上側プレキャストコンクリート壁とを接合するように構成され、該上側プレキャストコンクリート壁と下側プレキャストコンクリート壁の間に、スラブ筋が前記上側及び下側プレキャストコンクリート壁の壁面と直交する方向に配置されたスラブが水平方向に構築される、プレキャストコンクリート壁の接合構造において、
前記下側鉄筋は、前記下側プレキャストコンクリート壁の壁面に略平行な面内にてループ状に湾曲形成された下側ループ部を有し、
前記上側鉄筋は、前記上側プレキャストコンクリート壁の壁面に略平行な面内にてループ状に湾曲形成された上側ループ部を有し、
前記下側ループ部の少なくとも一部と前記上側ループ部の少なくとも一部とが重なるように配置されると共に、該下側ループ部と該上側ループ部とを貫通して前記下側プレキャストコンクリート壁と前記上側プレキャストコンクリート壁とを上下に接合するように前記スラブ筋が配置されてなる、
ことを特徴とするプレキャストコンクリート壁の接合構造。
【請求項２】
前記下側ループ部を構成する前記下側鉄筋は、前記下側プレキャストコンクリート壁の上端面と略平行となるように延設された略水平部分を有し、
前記上側ループ部を構成する前記上側鉄筋は、前記上側プレキャストコンクリート壁の下端面と略平行となるように延設された略水平部分を有し、
前記下側鉄筋の前記略水平部分及び前記上側鉄筋の前記略水平部分に沿って該下側ループ部及び該上側ループ部を貫通するように前記スラブ筋が複数本配置されてなる、
ことを特徴とする請求項１に記載のプレキャストコンクリート壁の接合構造。
【請求項３】
前記下側ループ部は、前記下側プレキャストコンクリート壁の壁面方向に沿って複数配列され、
前記上側ループ部は、前記上側プレキャストコンクリート壁の壁面方向に沿って複数配列され、
互いに隣接する複数の前記上側ループ部に重なるように一の前記下側ループ部が配置されると共に前記複数の上側ループ部と前記一の下側ループ部とを貫通するように前記スラブ筋が配置され、及び／又は、互いに隣接する複数の前記下側ループ部に重なるように一の前記上側ループ部が配置されると共に前記複数の下側ループ部と前記一の上側ループ部とを貫通するように前記スラブ筋が配置される、
ことを特徴とする請求項１に記載のプレキャストコンクリート壁の接合構造。
【請求項４】
上下に配置される２枚のプレキャストコンクリート壁の内の下側プレキャストコンクリート壁の上端面から突出する下側鉄筋と、上側プレキャストコンクリート壁の下端面から突出する上側鉄筋とを介して、該下側プレキャストコンクリート壁と該上側プレキャストコンクリート壁とを接合するに際し、該上側プレキャストコンクリート壁と下側プレキャストコンクリート壁の間に、スラブ筋が前記上側及び下側プレキャストコンクリート壁の壁面と直交する方向に配置されたスラブが水平方向に構築される、プレキャストコンクリート壁の接合方法において、
前記下側プレキャストコンクリート壁の壁面に略平行な面内にてループ状に湾曲させてなる下側ループ部を有する下側鉄筋を該下側プレキャストコンクリート壁の上端面から突出するように形成する工程と、
前記上側プレキャストコンクリート壁の壁面に略平行な面内にてループ状に湾曲させてなる上側ループ部を有する上側鉄筋を該上側プレキャストコンクリート壁の下端面から突出するように形成する工程と、
前記下側ループ部の少なくとも一部と前記上側ループ部の少なくとも一部とが重なるように、前記下側プレキャストコンクリート壁の上方に前記上側プレキャストコンクリート壁を配置する工程と、
前記下側ループ部と前記上側ループ部とを貫通するように前記スラブ筋を配置して前記下側プレキャストコンクリート壁と前記上側プレキャストコンクリート壁とを接合する工程と、
を備えたことを特徴とする、プレキャストコンクリート壁の接合方法。
【請求項５】
前記下側ループ部を構成する前記下側鉄筋は、前記下側プレキャストコンクリート壁の上端面と略平行となるように延設された略水平部分を有し、
前記上側ループ部を構成する前記上側鉄筋は、前記上側プレキャストコンクリート壁の下端面と略平行となるように延設された略水平部分を有し、
前記下側鉄筋の前記略水平部分及び前記上側鉄筋の前記略水平部分に沿って該下側ループ部及び該上側ループ部を貫通するように前記スラブ筋を複数本配置する、
ことを特徴とする請求項４に記載のプレキャストコンクリート壁の接合方法。
【請求項６】
前記下側ループ部を、前記下側プレキャストコンクリート壁の壁面方向に沿って複数配列し、
前記上側ループ部を、前記上側プレキャストコンクリート壁の壁面方向に沿って複数配列し、
互いに隣接する複数の前記上側ループ部に重なるように一の前記下側ループ部を配置すると共に前記複数の上側ループ部と前記一の下側ループ部とを貫通するように前記スラブ筋を配置し、及び／又は、互いに隣接する複数の前記下側ループ部に重なるように一の前記上側ループ部を配置すると共に前記複数の下側ループ部と前記一の上側ループ部とを貫通するように前記スラブ筋を配置する、
ことを特徴とする請求項４に記載のプレキャストコンクリート壁の接合方法。
【発明の詳細な説明】
【技術分野】
【０００１】
本発明は、上下に配置される上側プレキャストコンクリート壁と下側プレキャストコンクリート壁とを接合するように構成されたプレキャストコンクリート壁の接合構造、及びプレキャストコンクリート壁の接合方法に関する。
【背景技術】
【０００２】
従来、鉄筋コンクリート造の高層建築物では、鉄筋を内蔵したプレキャストコンクリート壁を予め工場などで製作しておいて、そのプレキャストコンクリート壁を現場にて上下に接合して組み立てていく工法が一般的に採用されており、その工法については種々のものが提案されている（例えば、特許文献１乃至４参照）。
【０００３】
図４は、上階側の壁板と下階側の壁板とを重ね継手により接合する様子の一例を示す斜視図である。図中の符号２は、上階側の壁板を示し、符号２４は、該上階側の壁板２の縦主筋を示し、符号３は、下階側の壁板を示し、符号２５は、該下階側の壁板３の縦主筋を示している。図示の接合構造２１においては、上階側の縦主筋２４を下方に突出させると共に下階側の縦主筋２５を上方に突出させてこれらの縦主筋２４，２５の所定長さ（継ぎ手長さ）の部分が近接配置されるようにして、その部分を重ね継手とするように構成されている。
【先行技術文献】
【特許文献】
【０００４】
【特許文献１】特開平７−１３９０５３号公報
【特許文献２】特開２００４−２７０２８５号公報
【特許文献３】特開２００９−１４４４００号公報
【特許文献４】特開２０１１−２１９９２９号公報
【発明の概要】
【発明が解決しようとする課題】
【０００５】
しかしながら、図４に示す接合構造は、継手長さを所定以上確保する必要があるためにその部分をプレキャスト化することができず、プレキャストコンクリート壁の接合構造には不向きであった。そのような重ね継手以外にも種々の継手構造が存在するが、プレキャストコンクリート壁の接合構造として適切なものは提案されていなかった。
【０００６】
本発明は、上述の問題を解消することのできるプレキャストコンクリート壁の接合構造、及びプレキャストコンクリート壁の接合方法を提供することを目的とするものである。
【課題を解決するための手段】
【０００７】
本発明の第１の観点は、図１乃至図３に例示するものであって、上下に配置される２枚のプレキャストコンクリート壁（２，３）の内の下側プレキャストコンクリート壁（３）の上端面（３ａ）から突出する下側鉄筋（５，１５）と、上側プレキャストコンクリート壁（２）の下端面（２ａ）から突出する上側鉄筋（４，１４）とを介して、該下側プレキャストコンクリート壁（３）と該上側プレキャストコンクリート壁（２）とを接合するように構成された、プレキャストコンクリート壁の接合構造（１，１１）において、
前記下側鉄筋（５，１５）は、前記下側プレキャストコンクリート壁（３）の壁面（３ｂ）に略平行な面内にてループ状に湾曲形成された下側ループ部（５ａ，１５ａ）を有し、
前記上側鉄筋（４，１４）は、前記上側プレキャストコンクリート壁（２）の壁面（２ｂ）に略平行な面内にてループ状に湾曲形成された上側ループ部（４ａ，１４ａ）を有し、
前記下側ループ部（５ａ，１５ａ）の少なくとも一部と前記上側ループ部（４ａ，１４ａ）の少なくとも一部とが重なるように配置されると共に、該下側ループ部（５ａ，１５ａ）と該上側ループ部（４ａ，１４ａ）とを貫通して前記下側プレキャストコンクリート壁（３）と前記上側プレキャストコンクリート壁（２）とを上下に接合するようにスラブ筋（６）が配置されてなることを特徴とする。
【０００８】
本発明の第２の観点は、前記下側ループ部（５ａ）を構成する前記下側鉄筋（５）が、前記下側プレキャストコンクリート壁（３）の上端面（３ａ）と略平行となるように延設された略水平部分（５ａ１）を有し、
前記上側ループ部（４ａ）を構成する前記上側鉄筋（４）は、前記上側プレキャストコンクリート壁（２）の下端面（２ａ）と略平行となるように延設された略水平部分（４ａ１）を有し、
前記下側鉄筋（５）の前記略水平部分（５ａ１）及び前記上側鉄筋（４）の前記略水平部分（４ａ１）に沿って該下側ループ部（５ａ）及び該上側ループ部（４ａ）を貫通するように前記スラブ筋（６）が複数本配置されてなることを特徴とする。
【０００９】
本発明の第３の観点は、図３に例示するものであって、前記下側ループ部（１５ａ）が、前記下側プレキャストコンクリート壁（３）の壁面方向（ｙ）に沿って複数配列され、
前記上側ループ部（１４ａ）は、前記上側プレキャストコンクリート壁（２）の壁面方向（ｙ）に沿って複数配列され、
互いに隣接する複数の前記上側ループ部（１４ａ）に重なるように一の前記下側ループ部（１５ａ）が配置されると共に前記複数の上側ループ部（１４ａ）と前記一の下側ループ部（１５ａ）とを貫通するように前記スラブ筋（６）が配置され、及び／又は、互いに隣接する複数の前記下側ループ部（１５ａ）に重なるように一の前記上側ループ部（１４ａ）が配置されると共に前記複数の下側ループ部（１５ａ）と前記一の上側ループ部（１４ａ）とを貫通するように前記スラブ筋（６）が配置されることを特徴とする。
【００１０】
本発明の第４の観点は、上下に配置される下側プレキャストコンクリート壁（３）と上側プレキャストコンクリート壁（２）とを接合するプレキャストコンクリート壁の接合方法において、
前記下側プレキャストコンクリート壁（３）の壁面（３ｂ）に略平行な面内にてループ状に湾曲させてなる下側ループ部（５ａ，１５ａ）を有する下側鉄筋（５，１５）を該下側プレキャストコンクリート壁（３）の上端面（３ａ）から突出するように形成する工程と、
前記上側プレキャストコンクリート壁（２）の壁面（２ｂ）に略平行な面内にてループ状に湾曲させてなる上側ループ部（４ａ，１４ａ）を有する上側鉄筋（４，１４）を該上側プレキャストコンクリート壁（２）の下端面（２ａ）から突出するように形成する工程と、
前記下側ループ部（５ａ，１５ａ）の少なくとも一部と前記上側ループ部（４ａ，１４ａ）の少なくとも一部とが重なるように、前記下側プレキャストコンクリート壁（３）の上方に前記上側プレキャストコンクリート壁（２）を配置する工程と、
前記下側ループ部（５ａ，１５ａ）と前記上側ループ部（４ａ，１４ａ）とを貫通するようにスラブ筋（６）を配置して前記下側プレキャストコンクリート壁（３）と前記上側プレキャストコンクリート壁（２）とを接合する工程と、を備えたことを特徴とする。
【００１１】
本発明の第５の観点は、前記下側ループ部（５ａ）を構成する前記下側鉄筋（５）が、前記下側プレキャストコンクリート壁（３）の上端面（３ａ）と略平行となるように延設された略水平部分（５ａ１）を有し、
前記上側ループ部（４ａ）を構成する前記上側鉄筋（４）は、前記上側プレキャストコンクリート壁（２）の下端面（２ａ）と略平行となるように延設された略水平部分（４ａ１）を有し、
前記下側鉄筋（５）の前記略水平部分（５ａ１）及び前記上側鉄筋（４）の前記略水平部分（４ａ１）に沿って該下側ループ部（５ａ）及び該上側ループ部（４ａ）を貫通するように前記スラブ筋（６）を複数本配置することを特徴とする。
【００１２】
本発明の第６の観点は、図３に例示するものであって、前記下側ループ部（１５ａ）を、前記下側プレキャストコンクリート壁（３）の壁面方向（ｙ）に沿って複数配列し、
前記上側ループ部（１４ａ）を、前記上側プレキャストコンクリート壁（２）の壁面方向（ｙ）に沿って複数配列し、
互いに隣接する複数の前記上側ループ部（１４ａ）に重なるように一の前記下側ループ部（１５ａ）を配置すると共に前記複数の上側ループ部（１４ａ）と前記一の下側ループ部（１５ａ）とを貫通するように前記スラブ筋（６）を配置し、及び／又は、互いに隣接する複数の前記下側ループ部（１５ａ）に重なるように一の前記上側ループ部（１４ａ）を配置すると共に前記複数の下側ループ部（１５ａ）と前記一の上側ループ部（１４ａ）とを貫通するように前記スラブ筋（６）を配置することを特徴とする。
【００１３】
なお、括弧内の番号などは、図面における対応する要素を示す便宜的なものであり、従って、本記述は図面上の記載に限定拘束されるものではない。
【発明の効果】
【００１４】
上記した第１及び４の観点によれば、重ね継手のように継手長さを長くする必要が無く、プレキャストコンクリート壁の接合のための最適な構造を得ることができる。
【００１５】
上記した第２及び５の観点によれば、複数本のスラブ筋を挿入することによってその継手部分を堅固にすることができる。
【００１６】
上記した第３及び６の観点によれば、より堅固な継手構造を得ることができる。
【図面の簡単な説明】
【００１７】
【図１】図１は、本発明に係るプレキャストコンクリート壁の接合構造の構成の一例を示す斜視図である。
【図２】図２は、本発明に係るプレキャストコンクリート壁の接合構造の構成の一例を示す分解斜視図である。
【図３】図３は、本発明に係るプレキャストコンクリート壁の接合構造の構成の他の例を示す斜視図である。
【図４】図４は、上階側の壁板と下階側の壁板とを重ね継手により接合する様子の一例を示す斜視図である。
【発明を実施するための形態】
【００１８】
以下、図１乃至図３に沿って、本発明の実施の形態について説明する。
【００１９】
本発明に係るプレキャストコンクリート壁の接合構造は、例えば、集合住宅の戸境壁に使用されるものであって、図１乃至図３に符号１及び１１で例示するように、上下に配置される２枚のプレキャストコンクリート壁２，３を接合するように構成されたものである。ここで、上下に配置された２枚のプレキャストコンクリート壁２，３の内、上方に配置された方２を“上側プレキャストコンクリート壁”とし、下方に配置された方３を“下側プレキャストコンクリート壁”とすると、該上側プレキャストコンクリート壁２の下端面２ａからは鉄筋（以下、“上側鉄筋”とする）４，１４が突出されており、該下側プレキャストコンクリート壁３の上端面３ａからは鉄筋（以下、“下側鉄筋”とする）５，１５が突出されていて、前記下側プレキャストコンクリート壁３と前記上側プレキャストコンクリート壁２とはそれらの下側鉄筋５，１５と上側鉄筋４，１４とを介して接合されるようになっている。
【００２０】
また、該下側鉄筋５，１５は、前記下側プレキャストコンクリート壁３の壁面３ｂに略平行な面内にてループ状に湾曲形成された下側ループ部５ａ，１５ａを有しており、前記上側鉄筋４，１４は、前記上側プレキャストコンクリート壁２の壁面２ｂに略平行な面内にてループ状に湾曲形成された上側ループ部４ａ，１４ａを有している。そして、前記下側ループ部５ａ，１５ａの少なくとも一部と前記上側ループ部４ａ，１４ａの少なくとも一部とが重なるように配置されると共に、該下側ループ部５ａ，１５ａと該上側ループ部４ａ，１４ａとを貫通して前記下側プレキャストコンクリート壁３と前記上側プレキャストコンクリート壁２とを上下に接合するようにスラブ筋６がｘ方向に配置されている。
【００２１】
本発明によれば、図４に例示した重ね継手のように継手長さを長くする必要が無く、プレキャストコンクリート壁の接合のための最適な構造を得ることができる。
【００２２】
ところで、前記下側ループ部５ａを構成する前記下側鉄筋５は、前記下側プレキャストコンクリート壁３の上端面３ａと略平行となるように延設された略水平部分５ａ１を有するようにし、前記上側ループ部４ａを構成する前記上側鉄筋４は、前記上側プレキャストコンクリート壁２の下端面２ａと略平行となるように延設された略水平部分４ａ１を有するようにして、前記下側鉄筋５の前記略水平部分５ａ１及び前記上側鉄筋４の前記略水平部分４ａ１に沿って該下側ループ部５ａ及び該上側ループ部４ａを貫通するように前記スラブ筋６を複数本配置するようにしても良い。そのようにした場合には、複数本のスラブ筋６を挿入することによってその継手部分を堅固にすることができる。
【００２３】
なお、前記スラブ筋６を配筋した後は、型枠を配置してコンクリートを打設することによりスラブ（不図示）を構築すると良い。或いは、半プレキャストのコンクリート板を使用して該スラブを構築するようにしても良い。
【００２４】
また、前記上側ループ部４ａは、前記上側プレキャストコンクリート壁２の側の縦主筋の一部として該縦主筋の上端部に形成しても良いが、前記上側鉄筋４と該縦主筋とのオーバーラップ長さを十分に確保するならば、該縦主筋とは別体で（つまり、該縦主筋から離間させた状態で）形成しても良い。さらに、前記下側鉄筋５についても同様であって、前記下側プレキャストコンクリート壁３の側の縦主筋の一部として該縦主筋の下端部に形成しても良いが、前記下側鉄筋５と該縦主筋とのオーバーラップ長さを十分に確保するならば、該縦主筋とは別体で（つまり、該縦主筋から離間させた状態で）形成しても良い。
【００２５】
また、図３に例示するように、前記下側プレキャストコンクリート壁３の壁面方向（つまり、壁面３ｂに沿った水平方向である壁面水平方向）ｙに沿って前記下側ループ部１５ａを複数配列すると共に、前記上側プレキャストコンクリート壁２の壁面方向（つまり、壁面２ｂに沿った水平方向である壁面水平方向）ｙに沿って前記上側ループ部１４ａを複数配列するようにしても良い。そして、
・  互いに隣接する複数の前記上側ループ部１４ａ，１４ａに重なるように一の前記下側ループ部１５ａを配置すると共に、前記複数の上側ループ部１４ａ，１４ａと前記一の下側ループ部１５ａとを貫通するように前記スラブ筋６を配置し、或いは、
・  互いに隣接する複数の前記下側ループ部１５ａ，１５ａに重なるように一の前記上側ループ部１４ａを配置すると共に、前記複数の下側ループ部１５ａ，１５ａと前記一の上側ループ部１４ａとを貫通するように前記スラブ筋６を配置し、
・  さらには、その両方を行う、
ようにしても良い。そのようにした場合には、より堅固な継手構造を得ることができる。
【００２６】
一方、本発明に係るプレキャストコンクリート壁の接合方法は、上下に配置される下側プレキャストコンクリート壁３と上側プレキャストコンクリート壁２とを接合する方法であって、
・  前記下側プレキャストコンクリート壁３の壁面３ｂに略平行な面内にてループ状に湾曲させてなる下側ループ部５ａ，１５ａを有する下側鉄筋５，１５を該下側プレキャストコンクリート壁３の上端面３ａから突出するように形成する工程と、
・  前記上側プレキャストコンクリート壁２の壁面２ｂに略平行な面内にてループ状に湾曲させてなる上側ループ部４ａ，１４ａを有する上側鉄筋４，１４を該上側プレキャストコンクリート壁２の下端面２ａから突出するように形成する工程と、
・  前記下側ループ部５ａ，１５ａの少なくとも一部と前記上側ループ部４ａ，１４ａの少なくとも一部とが重なるように、前記下側プレキャストコンクリート壁３の上方に前記上側プレキャストコンクリート壁２を配置する工程と、
・  前記下側ループ部５ａ，１５ａと前記上側ループ部４ａ，１４ａとを貫通するようにスラブ筋６を配置して前記下側プレキャストコンクリート壁３と前記上側プレキャストコンクリート壁２とを接合する工程と、
を備えたものである。
【００２７】
本発明によれば、図４に例示した重ね継手のように継手長さを長くする必要が無く、プレキャストコンクリート壁の接合のための最適な構造を得ることができる。
【００２８】
この場合、前記下側ループ部５ａを構成する前記下側鉄筋５は、前記下側プレキャストコンクリート壁３の上端面３ａと略平行となるように延設された略水平部分５ａ１を有し、前記上側ループ部４ａを構成する前記上側鉄筋４は、前記上側プレキャストコンクリート壁２の下端面２ａと略平行となるように延設された略水平部分４ａ１を有し、前記下側鉄筋５の前記略水平部分５ａ１及び前記上側鉄筋４の前記略水平部分４ａ１に沿って該下側ループ部５ａ及び該上側ループ部４ａを貫通するように前記スラブ筋６を複数本配置するようにすると良い。そのようにした場合には、複数本のスラブ筋６を挿入することによってその継手部分を堅固にすることができる。
【００２９】
また、図３に例示するように、前記下側プレキャストコンクリート壁３の壁面方向（つまり、壁面３ｂに沿った水平方向である壁面水平方向）ｙに沿って前記下側ループ部１５ａを複数配列すると共に、前記上側プレキャストコンクリート壁２の壁面方向（つまり、壁面２ｂに沿った水平方向である壁面水平方向）ｙに沿って前記上側ループ部１４ａを複数配列するようにしても良い。そして、
・  互いに隣接する複数の前記上側ループ部１４ａ，１４ａに重なるように一の前記下側ループ部１５ａを配置すると共に、前記複数の上側ループ部１４ａ，１４ａと前記一の下側ループ部１５ａとを貫通するように前記スラブ筋６を配置し、或いは、
・  互いに隣接する複数の前記下側ループ部１５ａ，１５ａに重なるように一の前記上側ループ部１４ａを配置すると共に、前記複数の下側ループ部１５ａ，１５ａと前記一の上側ループ部１４ａとを貫通するように前記スラブ筋６を配置し、
・  さらには、その両方を行う、
ようにしても良い。そのようにした場合には、より堅固な継手構造を得ることができる。
【符号の説明】
【００３０】
１                          プレキャストコンクリート壁の接合構造
２                          上側プレキャストコンクリート壁
２ａ                        上側プレキャストコンクリート壁の下端面
２ｂ                        上側プレキャストコンクリート壁の壁面
３                          下側プレキャストコンクリート壁
３ａ                        下側プレキャストコンクリート壁の上端面
３ｂ                        下側プレキャストコンクリート壁の壁面
４                          上側鉄筋
４ａ                        上側ループ部
４ａ１                      略水平部分
５                          下側鉄筋
５ａ                        下側ループ部
５ａ１                      略水平部分
６                          スラブ筋
１１                        プレキャストコンクリート壁の接合構造
１４                        上側鉄筋
１４ａ                      上側ループ部
１５                        下側鉄筋
１５ａ                      下側ループ部
ｙ                          壁面方向
【図１】
0006635801.tif 000002
【図２】
0006635801.tif 000003
【図３】
0006635801.tif 000004
【図４】
0006635801.tif 000005